(57)【要約】【課題】どの店舗を経由してアクセスしてきたかを識別し、店舗別の成功報酬型の広告手数料の計算が可能なアフィリエイトサーバ装置を提供すること。【解決手段】アフィリエイトサーバ装置は、パンフレットのＱＲコードに記載されたＵＲＬに基づくアクセスに対して携帯電話機向けコンテンツサービスの広告Ｗｅｂページを送信する手段、ＵＲＬから店舗を識別する手段、ユーザ識別するアフィリエイトＩＤ情報を生成する手段、アフィリエイトＩＤ情報を含むコンテンツサーバのＵＲＬを生成してユーザを接続替えする手段、コンテンツサーバからアフィリエイトＩＤ情報を含むユーザ登録情報を取得する手段、ユーザ登録情報に基づき、特定の店舗による広告に基づく登録ユーザを抽出し、店舗に対して支払う広告報酬額を算出する手段とを備える。成功報酬型の広告手数料の正確な計算ができる。【選択図】図１
2008009950.tif 000002
【特許請求の範囲】
【請求項１】
携帯電話機ユーザからのアクセスにおけるＵＲＬから店舗を識別する店舗識別手段と、
店舗識別情報に基づいてコンテンツサービスの広告Ｗｅｂページを生成して送信するＷｅｂページ送信手段と、
アクセスしてきたユーザについてユーザを識別するアフィリエイトＩＤ情報を生成するユーザ識別情報生成手段と、
ユーザが選択したコンテンツサービスについて、前記アフィリエイトＩＤ情報を含む前記コンテンツサービスのＵＲＬを生成してユーザを前記ＵＲＬに接続替えする接続替え手段と、
前記コンテンツサービスを行うコンテンツサーバから前記アフィリエイトＩＤ情報を含むユーザ入会情報を取得するユーザ入会情報取得手段と、
所定の期間毎に、前記ユーザ入会情報に基づき、特定の店舗による広告に基づく入会ユーザ数を計数し、前記店舗に対して支払う広告報酬額を算出する広告報酬額算出手段と
を備えたことを特徴とするアフィリエイトサーバ装置。
【請求項２】
更に、前記コンテンツサービスを行うコンテンツサーバからユーザＩＤ情報を含むユーザ退会情報を取得するユーザ退会情報取得手段を備え、
前記ユーザ入会情報取得手段は、前記コンテンツサービスを行うコンテンツサーバから前記アフィリエイトＩＤおよび前記ユーザＩＤ情報を含むユーザ入会情報を取得するものであり、
前記広告報酬額算出手段は、所定の期間毎に、前記ユーザ入会情報および前記ユーザ退会情報に基づき、特定の店舗による広告に基づく入会ユーザ数および継続ユーザ数を計数し、前記店舗に対して支払う広告報酬額を算出する
ことを特徴とするアフィリエイトサーバ装置。
【請求項３】
更に、店舗ＩＤを含むアフィリエイトサーバのＵＲＬが記載されたＱＲコードを印刷したパンフレットの作成手段を備え、
前記Ｗｅｂページ送信手段は前記店舗ＩＤ情報に基づいて、対応する広告Ｗｅｂページを生成することを特徴とする請求項１に記載のアフィリエイトサーバ装置。
【請求項４】
前記アフィリエイトＩＤ情報は、少なくとも店舗ＩＤ、コンテンツＩＤ、時刻情報を含むユニークな情報を秘密鍵で暗号化したものであることを特徴とする請求項１に記載のアフィリエイトサーバ装置。
【請求項５】
請求項１に記載のアフィリエイトサーバ装置と、
アフィリエイト専用のＵＲＬへの前記アフィリエイトＩＤが付与されたアクセスについて、当該ユーザがコンテンツサービスへの入会を行った場合に、前記アフィリエイトサーバ装置に対して前記アフィリエイトＩＤ、ユーザＩＤおよび入会日付を通知するコンテンツサーバ装置とを備えたことを特徴とするアフィリエイトシステム。
【請求項６】
前記コンテンツサーバ装置は、コンテンツサービスへの退会を行った全てのユーザについて、アフィリエイトサーバ装置に対して前記ユーザＩＤおよび退会日付を通知することを特徴とする請求項５に記載のアフィリエイトシステム。
【発明の詳細な説明】
【技術分野】
【０００１】
本発明は、アフィリエイトサーバ装置およびアフィリエイトシステムに関するものであり、特に、ユーザがどの店舗／媒体を経由してアクセスしてきたかを識別し、店舗別の成功報酬型の広告手数料を計算することが可能なアフィリエイトサーバ装置およびアフィリエイトシステムに関するものである。
【背景技術】
【０００２】
従来、インターネットにおけるＷｅｂサーバにおいて、例えばコンテンツサイトの広告を掲載し、この広告をクリックしたユーザが当該コンテンツサイトにおいてサービスや商品を購入した場合などに、広告を掲載しているＷｅｂサーバに紹介手数料を払う、いわゆるアフィリエイトシステムが実施されている。下記の特許文献１には上記のような顧客紹介システムが開示されている。
【０００３】
このシステムにおいては、ユーザの顧客紹介パートナーサーバアクセス時に顧客紹介装置がクッキーを使用して広告主ＩＤおよびパートナーＩＤを設定し、該ユーザが広告主サーバで商品購入した場合に顧客紹介装置がクッキーを読み出し、一致した場合には紹介手数料を決定し、双方に閲覧させるようになっている。
【特許文献１】特開２００２−０５６２９５号公報
【発明の開示】
【発明が解決しようとする課題】
【０００４】
上記したような従来の紹介手数料システムを携帯電話機に対する着メロなどのコンテンツサービスを行うシステムに適用しようとした場合には、以下のような問題点があった。
（１）携帯電話機の場合にはＰＣのようにクッキーを使用してユーザを特定することができないので、アフィリエイトサーバ経由でコンテンツサービスに入会したことを確認することができない。
【０００５】
（２）公式サイトの場合にはキャリアからアクセスしてきたユーザのユーザ識別情報ＵＩＤを取得可能だが、取得できるのは登録されたコンテンツサーバのみである。
（３）通信事業者（キャリア）が認定した公式サイトの場合には有料サービスの会員登録をキャリア側のサーバが行い、サービス料を通信料と一緒に集金するシステムとなっており、アフィリエイトサーバにおいてはサービス料を徴収する個別のユーザ情報が得られない。
【０００６】
本発明は、上記した課題を解決することを目的とし、ユーザがどの店舗／媒体を経由してアクセスしてきたかを識別し、店舗別の成功報酬型の広告手数料の計算が可能なアフィリエイトサーバ装置およびアフィリエイトシステムを提供することを目的とする。
【課題を解決するための手段】
【０００７】
本発明のアフィリエイトサーバ装置は、携帯電話機ユーザからのアクセスにおけるＵＲＬから店舗を識別する店舗識別手段と、店舗識別情報に基づいてコンテンツサービスの広告Ｗｅｂページを生成して送信するＷｅｂページ送信手段と、アクセスしてきたユーザについてユーザを識別するアフィリエイトＩＤ情報を生成するユーザ識別情報生成手段と、ユーザが選択したコンテンツサービスについて、前記アフィリエイトＩＤ情報を含む前記コンテンツサービスのＵＲＬを生成してユーザを前記ＵＲＬに接続替えする接続替え手段と、前記コンテンツサービスを行うコンテンツサーバから前記アフィリエイトＩＤ情報を含むユーザ入会情報を取得するユーザ入会情報取得手段と、所定の期間毎に、前記ユーザ入会情報に基づき、特定の店舗による広告に基づく入会ユーザ数を計数し、前記店舗に対して支払う広告報酬額を算出する広告報酬額算出手段とを備えたことを主要な特徴とする。
【０００８】
また、上記したアフィリエイトサーバ装置において、更に、前記コンテンツサービスを行うコンテンツサーバからユーザＩＤ情報を含むユーザ退会情報を取得するユーザ退会情報取得手段を備え、前記ユーザ入会情報取得手段は、前記コンテンツサービスを行うコンテンツサーバから前記アフィリエイトＩＤおよび前記ユーザＩＤ情報を含むユーザ入会情報を取得するものであり、前記広告報酬額算出手段は、所定の期間毎に、前記ユーザ入会情報および前記ユーザ退会情報に基づき、特定の店舗による広告に基づく入会ユーザ数および継続ユーザ数を計数し、前記店舗に対して支払う広告報酬額を算出する点にも特徴がある。
【０００９】
また、上記したアフィリエイトサーバ装置において、更に、店舗ＩＤを含むアフィリエイトサーバのＵＲＬが記載されたＱＲコードを印刷したパンフレットの作成手段を備え、前記Ｗｅｂページ送信手段は店舗ＩＤ情報に基づいて、対応する広告Ｗｅｂページを生成する点にも特徴がある。
また、上記したアフィリエイトサーバ装置において、前記アフィリエイトＩＤ情報は、少なくとも店舗ＩＤ、コンテンツＩＤ、時刻情報を含むユニークな情報を秘密鍵で暗号化したものである点にも特徴がある。
【００１０】
本発明のアフィリエイトシステムは、前記したアフィリエイトサーバ装置と、アフィリエイト専用のＵＲＬへの前記アフィリエイトＩＤが付与されたアクセスについて、当該ユーザがコンテンツサービスへの入会を行った場合に、前記アフィリエイトサーバ装置に対して前記アフィリエイトＩＤ、ユーザＩＤおよび入会日付を通知するコンテンツサーバ装置とを備えたことを主要な特徴とする。
また、上記したアフィリエイトシステムにおいて、前記コンテンツサーバ装置は、コンテンツサービスへの退会を行った全てのユーザについて、アフィリエイトサーバ装置に対して前記ユーザＩＤおよび退会日付を通知する点にも特徴がある。
【発明の効果】
【００１１】
本発明の装置は上記のような特徴によって、下記のような効果がある。
（１）店舗において掲示あるいは配布した広告パンフレットに印刷されたＱＲコードなどに基づいてアクセスしてきたユーザが、その後コンテンツサービスに入会／退会したことを個別に特定できるので、店舗別にサービスへの新規入会ユーザ数および継続ユーザ数について成功報酬型の広告手数料の正確な計算が可能である。
【００１２】
（２）本発明のシステムを採用する場合、他社の既存のコンテンツサーバの改造を最小限にでき、コンテンツサーバのデータベースへのデータの保存や検索を伴わないので、コンテンツサーバにおける本発明に関わる処理負荷が軽くて済む。
【００１３】
（３）他社のコンテンツサーバにおいては、アフィリエイトサーバ経由のアクセスについてのみ、入会情報をアフィリエイトサーバに通知すればよいので、全ての登録情報がアフィリエイトサーバにおいて把握されてしまうことが無くなる。
【発明を実施するための最良の形態】
【００１４】
以下実施例について図面を参照して説明する。
【実施例１】
【００１５】
図１は、本発明の装置を含むシステム全体の構成を示すブロック図である。携帯電話網１１はゲートウェイサーバ２０を介してインターネット３０と接続されており、携帯電話機ユーザの所有する携帯電話機１０はゲートウェイサーバ２０を介して、インターネット３０上の任意のサーバと接続可能に構成されている。
【００１６】
携帯電話機１０は公知のＷｅｂブラウザを搭載しており、インターネット上の任意のＷｅｂサーバにアクセス可能に構成されている。また、携帯電話機１０はカメラ機能を備えており、公知の２次元コードであるＱＲコード等のコード画像を読み取って、記載されているＵＲＬにアクセスする公知の機能を備えているものとする。
【００１７】
インターネット３０上には、携帯電話網運営会社（以下キャリアと記す）の運営するポータルＷｅｂサーバ２１、会員データベース（以下データベースをＤＢと記す）２３を備え、有料コンテンツサービスの会員登録を行う会員登録Ｗｅｂサーバ２２、本発明によるアフィリエイトサーバ３２、コンテンツサービス会社の運営する複数のコンテンツサーバシステム３１などが存在する。更に、店舗（企業）４０の運営する店舗Ｗｅｂサーバがあってもよい。なお、本明細書においてはアフィリエイトサーバ３２およびコンテンツサーバシステム３１を含めてアフィリエイトシステムと記す。
【００１８】
ここで、本発明の前提となる携帯電話機に対する公式サイトのコンテンツサービスについて説明する。コンテンツサービスを行うサービス会社は、まずキャリアに対してサーバの登録を申請し、キャリアはこれを許可する。そして、例えばキャリアの運営するポータルＷｅｂサーバ２１が提供するサービスメニューの中に当該コンテンツサーバへのリンクを掲載する。
【００１９】
ユーザは携帯電話機１０からポータルＷｅｂサーバ２１にアクセスし、メニューからコンテンツサーバ３１へ飛んで、気に入れば会員登録を行う。この会員登録処理はキャリアの会員登録Ｗｅｂサーバ２２において行われ、処理結果はコンテンツサーバシステム３１にも通知される。コンテンツサーバシステム３１は会員に対して例えば着メロ等の公知のコンテンツサービスを提供する。
【００２０】
キャリアは、例えば毎月、会員ＤＢ２３の内容に基づき、サービス会社が行っている有料コンテンツサービスの会費をキャリアの通信費と一緒に集金する。そして、集金した会費から手数料を引いて該当するコンテンツサービス会社に支払う。従来のシステムはここで完結していた。
【００２１】
本発明のシステムにおいては、例えば携帯電話機を販売する店舗（企業）４０において、店頭などにおいて携帯電話機ユーザにパンフレット４１等の広告媒体を提示あるいは配布する。このパンフレット４１には、例えば後述するアフィリエイトサーバ３２のＵＲＬが記載されたＱＲコードが印刷されている。
【００２２】
携帯電話機ユーザは、ＱＲコードを携帯電話機で読み取り、記載されているアフィリエイトサーバ３２のＵＲＬにアクセスする。アフィリエイトサーバ３２は後述する方法によって、広告したコンテンツサービスへのアクセスしてきたユーザの入会／退会を把握することができる。
【００２３】
従って、パンフレット４１によって携帯電話機ユーザにコンテンツサービスについての広告／勧誘を行った店舗に対して、その広告の結果、コンテンツサービスの会員登録を行ったユーザを識別して、店舗別に成功報酬型の広告手数料を払うことが可能である。
【００２４】
図２は、本発明のアフィリエイトサーバシステム３２の構成の一例を示すブロック図である。アフィリエイトサーバシステム３２は例えばポータルＷｅｂサーバ５０、コンテンツサーバ５２、広告管理サーバ５４、アクセス管理サーバ５６、端末（ＰＣ）５８を備えており、ルータ５９を介してインターネットと接続されている。
【００２５】
ポータルＷｅｂサーバ５０は、ユーザからＱＲコード等によりアクセスされ、ＵＲＬに含まれる店舗ＩＤ情報に基づいて広告Ｗｅｂページを動的に生成して送出する。広告ページには指定されたカテゴリーの複数のコンテンツサービスのサイトの広告が記載されている。
【００２６】
コンテンツサーバ５２は携帯電話機１０に対して公知の任意のコンテンツサービスを行う。サーバは対応するデータベースであるコンテンツＤＢ５３を備えており、ＤＢにはコンテンツや会員のデータ等が登録されている。なお、図２のコンテンツサーバ５２は、アフィリエイトサーバシステム３２がコンテンツサーバ３１も含んでいる場合であり、コンテンツサーバ３１は外部（他社）にあってもよい。
【００２７】
広告管理サーバ５４は、広告してもらう店舗、企業の登録、店舗毎のＱＲコードを含む広告パンフレットの生成、印刷、カテゴリー毎の広告Ｗｅｂページの管理等を行う。
アクセス管理サーバ５６は、ユーザのアクセス情報およびコンテンツサービスへの入会／退会情報をユーザ管理ＤＢ５７に記録する。また、例えば定期的に入会／退会情報チェックし、店舗毎の成功報酬型の広告手数料を算出する。オペレータは端末（ＰＣ）５８から後述する処理の起動や処理結果の閲覧、出力が可能である。
【００２８】
図４は、本発明における入会までの各装置間の情報のやり取りを示すフローチャートである。本発明のアフィリエイトサーバシステム３２においては、まず、広告管理サーバ５４において、広告を依頼する企業、店舗を登録し、店舗毎のＩＤを生成する。また店舗毎に広告するコンテンツのカテゴリーを指定する。そして、店舗において提示あるいは配布する広告パンフレット４１を作成し、印刷する。広告パンフレット４１には所定数のコンテンツの広告が掲載されており、店舗ＩＤによってパンフレット４１に掲載されているコンテンツを特定できるものとする。
【００２９】
このパンフレット４１には、例えば後述するアフィリエイトサーバ３２のＵＲＬが記載されたＱＲコードが印刷されている。ＱＲコードは、公知の２次元コードであり、多くの携帯電話機１０は、カメラ機能によって公知のＱＲコード画像を読み取って、記載されているＵＲＬにアクセスする機能を備えている。ＵＲＬは、例えば「http://xxxx?shid=yyyy&jid=zzzz」のように、アフィリエイトサーバシステム内のポータルＷｅｂサーバ５０のアドレス「xxxx」の他、パラメータとして店舗ＩＤ情報「shid=yyyy」、カテゴリー情報「jid=zzzz」等が付加されている。
【００３０】
アフィリエイトサーバシステム３２においては、パンフレット４１を印刷して契約した店舗に渡し、店舗においては、例えば来客に提示したり、配布することによってコンテンツサービスの宣伝を行う。携帯電話機のユーザは店舗における宣伝に従ってパンフレットのＱＲコードを携帯電話機で読み取り、アクセスする。このＵＲＬには、前記したように、店舗ＩＤやカテゴリー情報が含まれている。なお、ＵＲＬにはこの他に、パンフレットＩＤ、担当者ＩＤ、日付情報等が含まれていてもよい。
【００３１】
アフィリエイトサーバシステム内のポータルＷｅｂサーバ５０は、アクセスに対してＵＲＬに含まれている店舗ＩＤに基づき、広告Ｗｅｂページに掲載すべきコンテンツの情報を読み出し、予め作成されているコンテンツ別広告Ｗｅｂページデータを合成して広告ページを生成し、送信する。このページには原則パンフレットと同じ所定数のコンテンツサービスの広告が記載されている。
【００３２】
ユーザはこのページを閲覧し、所望のコンテンツサービスをクリックする。選択されたコンテンツ情報を含むアクセスを受け付けたポータルＷｅｂサーバ５０は、このユーザに対してユニークなアフィリエイト付与ＩＤであるＡＩＤを生成し、更に、例えば「http://ssss?aid=tttt」のようにＡＩＤ情報「aid=tttt」をパラメータとして付与した、選択されたコンテンツ情報と対応するコンテンツサーバ３１のＵＲＬを生成して、ユーザの携帯電話機に対してリダイレクト接続要求を送信する。携帯電話機のＷｅｂブラウザは受信したＵＲＬに対して接続要求を送信する。
【００３３】
また、ポータルＷｅｂサーバ５０は、アクセス記録を保存する。図３は、記録される登録情報およびアクセス情報の内容を示す説明図である。（ｂ）はアクセス記録情報の内容であり、１つのアクセス記録レコードには、ＡＩＤ、コンテンツＩＤ、店舗ＩＤ、アクセス日時が記録される。なお（ａ）は後述する登録情報の内容であり、ＡＩＤ、ＵＩＤ、コンテンツＩＤ、入会日時、退会日時等が記録される。
【００３４】
コンテンツサーバ３１においては、アフィリエイトシステムからのアクセス専用のＵＲＬ「ssss」を設け、このＵＲＬによるアクセスである場合には、通信網からユーザ識別情報ＵＩＤを取得する。キャリヤから認定された公式サイトであるコンテンツサーバであれば、携帯電話網１１からＵＩＤを取得可能である。そして、ユーザが当該サービスに入会を希望した場合には、会員登録Ｗｅｂサーバ２２に入会処理の依頼を行ない、結果を通知してもらう。なお、この際に会員登録Ｗｅｂサーバ２２への依頼情報にパラメータとしてＡＩＤを付加し、結果通知時にＡＩＤが戻って来るようにする。
【００３５】
そして、ユーザがコンテンツサービスに入会した通知を受け取った場合には、アフィリエイトサーバシステム内のアクセス管理サーバ５６に対してＡＩＤ、ＵＩＤ、コンテンツＩＤおよび入会日付を通知する。アクセス管理サーバ５６は通知を受信し、図３（ａ）に示す入会通知情報を記録する。
【００３６】
図５は、本発明における退会時の各装置間の情報のやり取りを示すフローチャートである。退会時には、ユーザは例えばコンテンツサイトのトップページから退会ページを要求し、コンテンツサーバは退会ページを送信する。そして、ユーザが退会のボタンをクリックすると、会員登録Ｗｅｂサーバ２２に退会処理の依頼を行ない、結果を通知してもらう。
【００３７】
そして、ユーザがコンテンツサービスから退会した通知を受け取った場合には、アフィリエイトサーバシステム内のアクセス管理サーバ５６に対してＵＩＤおよび退会日付を通知する。アクセス管理サーバ５６は通知を受信し、図３（ａ）に示す退会通知情報を記録する。
【００３８】
図６は、本発明における集計時の各装置間の情報のやり取りを示すフローチャートである。例えば毎月初めに登録記録をチェックし、例えば先月の新規入会ユーザ数、先々月以前に入会しており、まだ退会していない継続ユーザ数等を計数する。そして、店舗毎の成功報酬型の広告手数料を算出する。以上のような処理によって、パンフレットによる広告に基づいてアクセスしてきたユーザの登録数や継続数を把握することが可能となる。
【００３９】
以下、各装置の処理について説明する。図７は、広告管理サーバ５４の処理内容を示すフローチャートである。Ｓ１０においては、広告を行う企業情報、店舗情報を登録する。Ｓ１１においては、店舗毎に広告するコンテンツのカテゴリーを登録する。カテゴリーとしては、例えば「若者向き」、「遊び指向」、「情報系」などであってもい。Ｓ１２においては、店舗毎にユニークな店舗ＩＤを生成し、記録する。
【００４０】
Ｓ１３においては店舗対応ＵＲＬを生成する。ＵＲＬは、例えば「http://xxxx?shid=yyyy&jid=zzzz」のように、アフィリエイトサーバ内のポータルＷｅｂサーバ５０のアドレス「xxxx」の他、パラメータとして店舗ＩＤ情報「shid=yyyy」、カテゴリー情報「jid=zzzz」等が付加されている。
【００４１】
Ｓ１４においては、店舗対応ＵＲＬを含むＱＲコードの画像を生成する。Ｓ１５においては、ＱＲコードの印刷されたパンフレットを作成する。図１２は、パンフレットの内容例を示す説明図である。パンフレット４１には例えば４個のコンテンツの広告が印刷されており、パンフレットの右上には前記したアフィリエイトサーバのＵＲＬが記載されたＱＲコード４２が印刷されている。
【００４２】
図８は、本発明のポータルＷｅｂサーバ５０の処理内容を示すフローチャートである。Ｓ２０においては、ユーザの携帯電話機からのアクセスがあるまで待ち、Ｓ２１においては、アクセスしてきたＵＲＬから、店舗ＩＤ（またはパンフレットＩＤ）を取得する。Ｓ２２においては、取得した店舗ＩＤ情報に基づいて特定された、パンフレットに掲載されているコンテンツの内、広告主が予め設定した月間勧誘予定数に達し、後述する広告掲載中止フラグがオンとなっており、勧誘から除外すべきコンテンツが無いか否かが判定され、判定結果が否定の場合にはＳ２３に移行するが、肯定の場合にはＳ２４に移行する。
【００４３】
Ｓ２３においては、勧誘予定数に達したコンテンツを除外し、同じカテゴリーの別のコンテンツと差し替えて広告ページに掲載すべきコンテンツを決定する。Ｓ２４においては、予め作成されているコンテンツ別広告Ｗｅｂページデータを合成して広告ページを生成し、送信する。ページデータには例えば所定数のコンテンツサービスの広告および入会ボタンが記載されている。Ｓ２５においては、ユーザが所望のコンテンツをクリックすることに基づく情報が受信されるまで待つ。ユーザは広告ページを閲覧し、例えば所望のコンテンツサービスの入会ボタンをクリックする。
【００４４】
Ｓ２６においては、前記したように、アフィリエイトサーバシステムにおいてアクセスしてきたユーザに付与するユニークなＩＤであるＡＩＤを生成する。ＡＩＤは、例えば店舗ＩＤ、コンテンツＩＤ、秒までの日時情報等を含むユニークなデータを秘密鍵で暗号化したユニークなデータである。
【００４５】
Ｓ２７においては、例えば「http://ssss?aid=tttt」のようにＡＩＤ情報「aid=tttt」をパラメータとして付与した、選択されたコンテンツ情報と対応するコンテンツサーバ３１のＵＲＬを生成して、ユーザの携帯電話機に対してリダイレクト接続要求を送信する。ＵＲＬを受信した携帯電話機のＷｅｂブラウザは当該ＵＲＬへの接続要求を送信する。
【００４６】
Ｓ２８においては、ＡＩＤ、コンテンツＩＤ、店舗ＩＤ、日時情報をアクセス記録としてアクセス管理サーバ５６に転送する。なお、携帯電話機からのアクセス検出時に予めＡＩＤを生成し、携帯電話機に送信する広告ＷｅｂページのそれぞれのコンテンツのリンクとしてＡＩＤを含むそれぞれのコンテンツサーバへのＵＲＬを設定しておいてもよい。
【００４７】
図９は、アクセス管理サーバ５６の処理内容を示すフローチャートである。Ｓ３０においては、ポータルＷｅｂサーバ５０からアクセス情報を受信したか否かが判定され、判定結果が否定の場合にはＳ３２に移行するが、肯定の場合にはＳ３１に移行する。Ｓ３１においては、受信したＡＩＤ、コンテンツＩＤ、店舗ＩＤ、日時情報をアクセス記録としてユーザ管理ＤＢに記録する。
【００４８】
Ｓ３２においては、任意のコンテンツサーバからサービスへの入会情報を受信したか否かが判定され、判定結果が否定の場合にはＳ３４に移行するが、肯定の場合にはＳ３３に移行する。Ｓ３３においては、アクセス記録中に該当するＡＩＤが存在しているか否か等により、受信したデータが真正なものか否かが判定され、判定結果が否定の場合にはＳ３８に移行するが、肯定の場合にはＳ３４に移行する。Ｓ３４においては、受信したＡＩＤ、コンテンツＩＤ、入会日時を登録情報としてユーザ管理ＤＢに記録する。
【００４９】
Ｓ３５においては、受信した入会情報のコンテンツＩＤと対応する月間入会者数カウンタに１を加算する。このカウンタは例えば月初めにリセットする。Ｓ３６においては、コンテンツ対応のカウンタの値が、広告主が予め設定した勧誘予定数に達したか否かが判定され、判定結果が否定の場合にはＳ３８に移行するが、肯定の場合にはＳ３７に移行する。Ｓ３７においては、予定数に達したコンテンツと対応する広告掲載中止フラグをオンにする。
【００５０】
Ｓ３８においては、任意のコンテンツサーバからサービスへの退会情報を受信したか否かが判定され、判定結果が否定の場合にはＳ４１に移行するが、肯定の場合にはＳ３９に移行する。Ｓ３９においては、予め各コンテンツサーバに配布されているパスワードが付与されているか否かにより、真正か否かが判定され、判定結果が否定の場合にはＳ４１に移行するが、肯定の場合にはＳ４０に移行する。Ｓ４０においては、退会情報のＵＩＤをキーとしてユーザ管理ＤＢの登録情報を検索し、レコードがヒットした場合には、当該レコードに退会日時を追加記録する。
【００５１】
Ｓ４１においては、例えば月末等の集計期日が到来したか否かが判定され、判定結果が否定の場合にはＳ３０に移行するが、肯定の場合にはＳ４２に移行する。Ｓ４２においては、後述する集計処理が行われる。
【００５２】
図１０は、コンテンツサーバ３１の処理内容を示すフローチャートである。まず、ユーザがアフィリエイトサーバ経由のアクセス専用に設けられているＵＲＬにアクセスして来た場合（図１０右欄）について説明する。Ｓ４３においては、端末からのアクセスがあるまで待ち、Ｓ４４においては、通信網からＵＩＤを取得する。Ｓ４５においては、アフィリエイトサーバ経由の入会専用の入会ページを送信する。
【００５３】
Ｓ４６においては、ユーザが入会ボタンをクリックしたか否かが判定され、判定結果が否定の場合には処理を終了するが、肯定の場合にはＳ４７に移行する。Ｓ４７においては、会員登録Ｗｅｂサーバ２２に入会処理の依頼を行ない、結果を通知してもらう。なお、この際に会員登録Ｗｅｂサーバ２２への依頼情報にパラメータとしてＡＩＤを付加し、結果通知時にＡＩＤが戻って来るようにする。
【００５４】
Ｓ４８においては、アフィリエイトサーバシステム内のアクセス管理サーバ５６に対してＡＩＤ、ＵＩＤ、コンテンツＩＤおよび入会日時を通知する。Ｓ４９においては、コンテンツサーバ３１における入会処理を行い、Ｓ５１のコンテンツサービス処理に移行する。以上の処理によって、アフィリエイトサーバ経由で入会したユーザのみの入会情報がアクセス管理サーバ５６に通知される。
【００５５】
次に、登録ユーザが退会する場合（図１０左欄）について説明する。登録ユーザは例えばコンテンツサーバ３１のトップページにアクセスする。Ｓ５０においてはアクセスがあるまで待ち、Ｓ５１においては、各コンテンツサーバにおける公知の任意のコンテンツサービス処理が実行される。コンテンツサービスは例えば着メロサービス、着歌サービス、待ち受け画面サービス等であってもよい。
【００５６】
Ｓ５２においては、サービス終了が指示されたか否かが判定され、判定結果が否定の場合にはＳ５３に移行するが、肯定の場合には処理を終了する。Ｓ５３においては、退会要求が指示されたか否かが判定され、判定結果が否定の場合にはＳ５１に移行するが、肯定の場合にはＳ５４に移行する。Ｓ５４においては、通信網からＵＩＤを取得する（予め取得されていればそれを参照する）。Ｓ５５においては、通常の退会ページを送信する。Ｓ５６においては、ユーザが退会ボタンをクリックしたか否かが判定され、判定結果が否定の場合にはＳ５１に戻るが、肯定の場合にはＳ５７に移行する。
【００５７】
Ｓ５７においては、退会要求情報を会員登録Ｗｅｂサーバ２２へ転送し、退会処理を依頼して、処理結果を受け取る。会員登録Ｗｅｂサーバ２２においては、退会処理が行われ、退会処理が完了すると、コンテンツサーバ３１へ処理結果が通知される。
【００５８】
Ｓ５８においては、ＵＩＤ、コンテンツＩＤ、退会日時、アフィリエイトサーバから予め通知されているパスワードをアフィリエイトサーバシステムのアクセス管理サーバ５６に通知する。この処理はアフィリエイト経由で入会したユーザのみではなく、退会するユーザ全てについて実行される。アクセス管理サーバ５６においては、ＵＩＤをキーとして入会情報を検索し、ヒットした場合には当該レコードに退会情報を追加する。Ｓ５９においては、コンテンツサーバ３１においては退会情報を内部の会員管理ＤＢに登録して処理を終了する。
【００５９】
図１１は、本発明のアクセス管理サーバ５６の集計処理の内容を示すフローチャートである。この処理は、例えば月初めに１回だけ起動される。Ｓ６０においては、店舗毎の広告手数料を支払うべきユーザの人数を０に初期化する。Ｓ６１においては、ＤＢから未処理の会員登録データを取得する。
【００６０】
Ｓ６２においては、新規入会ユーザの条件に適合するか否かが判定され、判定結果が否定の場合にはＳ６４に移行するが、肯定の場合にはＳ６３に移行する。新規入会ユーザの条件は、例えば先月入会しており、退会データは未登録であるユーザとしてもよい。Ｓ６３においては、店舗ＩＤ対応の新規入会ユーザ数に１を加算する。
【００６１】
Ｓ６４においては、継続ユーザの条件に適合するか否かが判定され、判定結果が否定の場合にはＳ６８に移行するが、肯定の場合にはＳ６５に移行する。継続ユーザの条件は、例えば先々月以前に入会しており、退会データは未登録であるユーザとしてもよい。Ｓ６５においては、店舗ＩＤ対応の継続ユーザ数に１を加算する。
【００６２】
Ｓ６６においては、全登録情報について処理を完了したか否かが判定され、判定結果が否定の場合にはＳ６１に移行するが、肯定の場合にはＳ６７に移行する。Ｓ６８においては、店舗ごとの新規および継続の人数データを集計し、この人数に新規および継続の広告手数料の単価をかけた合計額を出力する。
以上のような構成および処理によって、本発明においては、ユーザがどの店舗／媒体を経由してアクセスしてきたかを識別し、店舗別の成功報酬型の広告手数料の計算が可能となる。
【実施例２】
【００６３】
実施例１においては、アフィリエイトサーバが非公式サイトである場合について説明したが、アフィリエイトサーバが公式サイトとして登録出来る場合には、アフィリエイトサーバシステムにおいて、アクセスしてきたユーザのＵＩＤを通信網から取得可能である。従って、この場合にはユーザを識別する情報をアフィリエイトサーバからコンテンツサーバに引き継ぐ必要がなく、アフィリエイト専用のページから入会したユーザについて、コンテンツサーバからＵＩＤと入会情報を送ってもらえばよい。
【実施例３】
【００６４】
実施例１、２においては、コンテンツサーバが公式サイトである場合について説明したが、コンテンツサーバが非公式サイトである場合でも本発明をそのまま適用可能である。この場合には、ＵＩＤの代わりにコンテンツサイト独自のユーザ識別情報を使用すればよい。
【実施例４】
【００６５】
実施例１〜３は、アフィリエイト専用の入会ページを用意することによって、コンテンツサーバにおいてはユーザがアフィリエイト経由か否かは記録する必要がない例であった。しかし、ユーザがアフィリエイト専用の入会ページまで達しても入会せず、その後、コンテンツサーバのトップページから入会手続きを行った場合には、アフィリエイトサーバにおいては入会情報が取得できない。実施例４は、上記のような課題を解決するものである。
【００６６】
実施例４においては、コンテンツサーバにおいて、アフィリエイトサーバ経由のアクセスについて、ＡＩＤとＵＩＤとの対応関係を記録、保存しておく。そして、ユーザが入会手続きを行った場合、入会したユーザのＵＩＤをキーとして対応するＡＩＤが有るか否かを検索する。そしてＡＩＤが有った場合には、入会情報をアクセス管理サーバ５６に通知する。退会時にもＵＩＤをキーとして対応するＡＩＤが有るか否か検索するようにしてもよい。このようにすれば、上記したような課題は解決される。但し、コンテンツサーバにおける改造の手間や処理負荷が増大する。
【００６７】
以上、実施例について説明したが、本発明には次のような変形例も考えられる。実施例においては、アフィリエイトサーバからコンテンツサーバへリダイレクト接続するときにＡＩＤを付与する例を開示したが、リダイレクト接続するときにＡＩＤを付与せず、コンテンツサーバからの入会、退会情報のＵＩＤのみで管理する方法も考えられる。この場合でも、新規や継続のユーザ数は計数可能であるが、入会情報が真正か否か、入会ユーザがアフィリエイトサーバを経由したか否かを確認することはできない。
【図面の簡単な説明】
【００６８】
【図１】本発明の装置を含むシステム全体の構成を示すブロック図である。
【図２】本発明のアフィリエイトサーバシステム３２の構成の一例を示すブロック図である。
【図３】記録される登録情報およびアクセス情報の内容を示す説明図である。
【図４】本発明における入会までの各装置間の情報のやり取りを示すフローチャートである。
【図５】本発明における退会時の各装置間の情報のやり取りを示すフローチャートである。
【図６】本発明における集計時の各装置間の情報のやり取りを示すフローチャートである。
【図７】広告管理サーバ５４の処理内容を示すフローチャートである。
【図８】本発明のポータルＷｅｂサーバ５０の処理内容を示すフローチャートである。
【図９】アクセス管理サーバ５６の処理内容を示すフローチャートである。
【図１０】コンテンツサーバ３１の処理内容を示すフローチャートである。
【図１１】本発明のアクセス管理サーバ５６の集計処理の内容を示すフローチャートである。
【図１２】パンフレットの内容例を示す説明図である。
【符号の説明】
【００６９】
１０…携帯電話機
１１…携帯電話網
２０…ゲートウェイサーバ
２１…ポータルＷｅｂサーバ
２２…会員登録Ｗｅｂサーバ
２３…会員データベース
３０…インターネット
３１…コンテンツサーバシステム
３２…アフィリエイトサーバシステム
４１…パンフレット
【図１】
2008009950.tif 000003
【図２】
2008009950.tif 000004
【図３】
2008009950.tif 000005
【図４】
2008009950.tif 000006
【図５】
2008009950.tif 000007
【図６】
2008009950.tif 000008
【図７】
2008009950.tif 000009
【図８】
2008009950.tif 000010
【図９】
2008009950.tif 000011
【図１０】
2008009950.tif 000012
【図１１】
2008009950.tif 000013
【図１２】
2008009950.tif 000014